(57)【要約】【課題】複数の動作アイコンをユーザの意図に合わせて各ページに適切に配置することが可能な情報処理端末のプログラムを提供する。【解決手段】端末プログラムは、画面指示データに従って端末ディスプレイにカスタマイズ画面を表示させる表示処理と、特定ページへの動作アイコンの追加を指示する追加操作を受け付けたことに応じて、指示された動作アイコンを特定ページに追加するアイコン追加処理（Ｓ３１）と、特定ページの動作アイコンの数が上限値を超えたと判断したことに応じて（Ｓ３２：４）、特定ページの直後に新規ページを追加するページ追加処理（Ｓ３７）と、特定ページの末尾の動作アイコンを特定ページから削除し、且つ当該動作アイコンを新規ページの先頭に表示させる第１移動処理（Ｓ３８）と、編集した画面指示データをＭＦＰ１０に出力する出力処理とを情報処理端末に実行させる。【選択図】図５
2018075776.tif 000002
【特許請求の範囲】
【請求項１】
メモリと、端末ディスプレイと、入力インタフェースとを備える情報処理端末によって実行可能なプログラムであって、
前記メモリは、画像形成装置の装置ディスプレイに表示させるアイコン画面を示す画面指示データを記憶しており、前記画面指示データは、前記アイコン画面を構成する複数のページそれぞれに表示させる動作アイコンと、前記動作アイコンが特定された時に前記画像形成装置に実行させる動作とを示し、
前記画像形成装置は、前記装置ディスプレイに表示させる前記ページを、ユーザが入力したスクロール指示に従って、複数の前記ページの１つである第１ページから、前記画面指示データで定められたページ順序で前記第１ページに隣接する第２ページに切り替え、
該プログラムは、前記画面指示データに従って前記端末ディスプレイにカスタマイズ画面を表示させる表示処理を前記情報処理端末に実行させ、前記カスタマイズ画面には、複数の前記ページの１つである特定ページに含まれる前記動作アイコンが、前記画面指示データで定められたアイコン順序に従って配列されており、
該プログラムは、
前記特定ページへの前記動作アイコンの追加を指示する追加操作を、前記入力インタフェースを通じて受け付ける第１受付処理と、
前記追加操作で指示された前記動作アイコンが前記特定ページに追加されるように、前記画面指示データを編集するアイコン追加処理と、
前記追加操作によって前記特定ページに含まれる前記動作アイコンの数が上限値を超えたか否かを判断する第１判断処理と、
前記第１判断処理で前記上限値を超えたと判断したことに応じて、
前記特定ページの直後に新たな前記ページである新規ページが追加されるように、前記画面指示データを編集するページ追加処理と、
前記特定ページの末尾の前記動作アイコンが前記特定ページから削除され、且つ当該動作アイコンが前記新規ページの先頭に表示されるように、前記画面指示データを編集する第１移動処理と、
編集した前記画面指示データを前記画像形成装置に出力する出力処理とを前記情報処理端末に実行させるプログラム。
【請求項２】
前記画面指示データは、複数の前記ページそれぞれに対応付けられたページ情報を含み、前記ページ追加処理で追加された前記新規ページには、前記特定ページと共通の前記ページ情報が対応付けられており、
該プログラムは、
前記第１判断処理で前記上限値を超えたと判断したことに応じて、前記特定ページ及び前記特定ページの直後の次ページに対応付けられた前記ページ情報が共通か否かを判断する第２判断処理と、
前記第２判断処理で共通だと判断したことに応じて、前記特定ページの末尾の前記動作アイコンが前記特定ページから削除され、且つ当該動作アイコンが前記次ページの先頭に表示されるように、前記画面指示データを編集する第２移動処理とを前記情報処理端末に実行させ、
前記第２判断処理で共通でない判断したことに応じて、前記ページ追加処理と、前記第１移動処理とを前記情報処理端末に実行させる請求項１に記載のプログラム。
【請求項３】
該プログラムは、
前記特定ページに含まれる前記動作アイコンの削除を指示する削除操作を、前記入力インタフェースを通じて受け付ける第２受付処理と、
前記削除操作で指示された前記動作アイコンが前記特定ページから削除されるように、前記画面指示データを編集するアイコン削除処理と、
前記特定ページ及び前記特定ページの直後の次ページに対応付けられた前記ページ情報が共通か否かを判断する第３判断処理と、
前記第３判断処理で共通だと判断したことに応じて、前記次ページの先頭の前記動作アイコンが前記次ページから削除され、且つ当該動作アイコンが前記特定ページの末尾に表示されるように、前記画面指示データを編集する第３移動処理とを前記情報処理端末に実行させる請求項２に記載のプログラム。
【請求項４】
該プログラムは、
前記削除操作によって前記次ページに含まれる前記動作アイコンが無くなったか否かを判断する第４判断処理と、
前記第４判断処理で無くなったと判断したことに応じて、前記次ページが前記アイコン画面から削除されるように、前記画面指示データを編集するページ削除処理とを前記情報処理端末に実行させる請求項３に記載のプログラム。
【請求項５】
該プログラムは、
前記アイコン画面を構成する複数の前記ページの１つを前記特定ページとして特定する第１特定操作を、前記入力インタフェースを通じて受け付ける第３受付処理と、
前記特定ページを含んで連続する複数の前記ページに対応付けられた前記ページ情報が共通か否かを判断する第５判断処理と、
前記第５判断処理で共通だと判断したことに応じて、前記アイコン画面に含まれる複数の前記ページのうち、共通の前記ページ情報が対応付けられ且つ前記特定ページを含んで連続する複数の前記ページを抽出する第１抽出処理と、
前記特定ページの編集を指示する編集操作を、前記入力インタフェースを通じて受け付ける第４受付処理と、
前記編集操作で示される編集内容が抽出した全ての前記ページに適用されるように、前記画面指示データを編集する編集処理とを前記情報処理端末に実行させる請求項２から４のいずれかに記載のプログラム。
【請求項６】
該プログラムは、
前記第４受付処理において、前記ページ順序で示される前記特定ページの位置の変更を指示する前記編集操作を受け付け、
前記編集処理において、抽出した全ての前記ページの相対的な位置を変更せずに、前記アイコン画面を構成する複数の前記ページを前記編集操作に従って並び替える請求項５に記載のプログラム。
【請求項７】
該プログラムは、
前記第４受付処理において、前記特定ページに対応付けられた前記ページ情報の変更を指示する前記編集操作を受け付け、
前記編集処理において、抽出した全ての前記ページに対応付けられた前記ページ情報を、前記編集操作に従って変更する請求項５又は６に記載のプログラム。
【請求項８】
該プログラムは、
前記第１抽出処理で抽出した複数の前記ページのうちの１つを前記特定ページとして特定する第２特定操作を、前記入力インタフェースを通じて受け付ける第５受付処理と、
前記第１抽出処理で抽出した複数の前記ページのうちから前記特定ページのみを抽出する第２抽出処理とを、前記第４受付処理に先立って前記情報処理端末に実行させる請求項５から７のいずれかに記載のプログラム。
【請求項９】
該プログラムは、
前記第１抽出処理で抽出した複数の前記ページのうちの１つを前記特定ページとして特定する第２特定操作を、前記入力インタフェースを通じて受け付ける第５受付処理と、
前記第１抽出処理で抽出した複数の前記ページのうちから前記特定ページ以降の前記ページのみを抽出する第２抽出処理とを、前記第４受付処理に先立って前記情報処理端末に実行させる請求項５から７のいずれかに記載のプログラム。
【請求項１０】
メモリ、端末ディスプレイ、第１入力インタフェース、第１通信インタフェース、及び第１コントローラを備える情報処理端末と、装置ディスプレイ、第２入力インタフェース、第２通信インタフェース、及び第２コントローラを備える画像形成装置とを備える情報処理システムであって、
前記メモリは、前記装置ディスプレイに表示させるアイコン画面を示す画面指示データを記憶しており、前記画面指示データは、前記アイコン画面を構成する複数のページそれぞれに表示させる動作アイコンと、前記動作アイコンが特定された時に前記画像形成装置に実行させる動作とを示し、
前記第１コントローラは、前記画面指示データに従って前記端末ディスプレイにカスタマイズ画面を表示させる第１表示処理を実行し、前記カスタマイズ画面には、複数の前記ページの１つである特定ページに含まれる前記動作アイコンが、前記画面指示データで定められたアイコン順序に従って配列されており、
前記第１コントローラは、
前記特定ページへの前記動作アイコンの追加を指示する追加操作を、前記第１入力インタフェースを通じて受け付ける第１受付処理と、
前記追加操作で指示された前記動作アイコンが前記特定ページに追加されるように、前記画面指示データを編集するアイコン追加処理と、
前記追加操作によって前記特定ページに含まれる前記動作アイコンの数が上限値を超えたか否かを判断する第１判断処理と、
前記第１判断処理で前記上限値を超えたと判断したことに応じて、
前記特定ページの直後に新たな前記ページである新規ページが追加されるように、前記画面指示データを編集するページ追加処理と、
前記特定ページの末尾の前記動作アイコンが前記特定ページから削除され、且つ当該動作アイコンが前記新規ページの先頭に表示されるように、前記画面指示データを編集する第１移動処理と、
編集した前記画面指示データを前記第１通信インタフェースを通じて前記画像形成装置に送信する送信処理とを実行し、
前記第２コントローラは、
前記第２通信インタフェースを通じて前記情報処理端末から前記画面指示データを受信する受信処理と、
前記画面指示データで示される複数の前記ページのうちの１つである第１ページを、前記装置ディスプレイに表示させる第２表示処理と、
前記第２入力インタフェースを通じてスクロール操作を受け付けたことに応じて、前記装置ディスプレイに表示させる前記ページを、前記画面指示データで定められたページ順序で前記第１ページに隣接する第２ページに切り替える切替処理と、
前記装置ディスプレイに表示された前記動作アイコンを特定するユーザ操作を、前記第２入力インタフェースを通じて受け付ける第２受付処理と、
前記第２受付処理で特定された前記動作アイコンに対応付けられた前記動作を実行する実行処理と、を実行する情報処理システム。
【発明の詳細な説明】
【技術分野】
【０００１】
本発明は、画像形成装置が表示する画面をカスタマイズする情報処理端末のプログラムに関する。
【背景技術】
【０００２】
例えば特許文献１には、プリンタ等の画像形成装置のディスプレイに表示される画面をカスタマイズする情報処理端末のプログラムが開示されている。より詳細には、当該プログラムは、予め用意されたＵＩ部品をドラッグ＆ドロップすることによって、当該ＵＩ部品を画面に追加することができる。
【先行技術文献】
【特許文献】
【０００３】
【特許文献１】特開２０１１−１５４４７４号公報
【発明の概要】
【発明が解決しようとする課題】
【０００４】
近年、画像形成装置に実装される機能が増加するのに伴って、画像形成装置のディスプレイに表示させたいＵＩ部品の数も増加する傾向にある。また、画像形成装置のユーザにとっては、同種の機能に対応付けられたＵＩ部品がグループ化されているのが望ましい。しかしながら、画像形成装置のディスプレイには画面サイズの制約があるので、グループ化した全てのＵＩ部品を一覧表示させることができない場合もある。
【０００５】
本発明は、上記の事情に鑑みてなされたものであり、その目的は、スクロール操作によって複数のページが切替表示される画像形成装置のアイコン画面において、複数の動作アイコンをユーザの意図に合わせて各ページに適切に配置することが可能な情報処理端末のプログラム及び情報処理システムを提供することにある。
【課題を解決するための手段】
【０００６】
本明細書では様々な開示を行う。開示例の１つであるプログラムは、メモリと、端末ディスプレイと、入力インタフェースとを備える情報処理端末によって実行可能である。前記メモリは、画像形成装置の装置ディスプレイに表示させるアイコン画面を示す画面指示データを記憶している。前記画面指示データは、前記アイコン画面を構成する複数のページそれぞれに表示させる動作アイコンと、前記動作アイコンが特定された時に前記画像形成装置に実行させる動作とを示す。前記画像形成装置は、前記装置ディスプレイに表示させる前記ページを、ユーザが入力したスクロール指示に従って、複数の前記ページの１つである第１ページから、前記画面指示データで定められたページ順序で前記第１ページに隣接する第２ページに切り替える。該プログラムは、前記画面指示データに従って前記端末ディスプレイにカスタマイズ画面を表示させる表示処理を前記情報処理端末に実行させる。前記カスタマイズ画面には、複数の前記ページの１つである特定ページに含まれる前記動作アイコンが、前記画面指示データで定められたアイコン順序に従って配列されている。該プログラムは、前記特定ページへの前記動作アイコンの追加を指示する追加操作を、前記入力インタフェースを通じて受け付ける第１受付処理と、前記追加操作で指示された前記動作アイコンが前記特定ページに追加されるように、前記画面指示データを編集するアイコン追加処理と、前記追加操作によって前記特定ページに含まれる前記動作アイコンの数が上限値を超えたか否かを判断する第１判断処理と、前記第１判断処理で前記上限値を超えたと判断したことに応じて、前記特定ページの直後に新たな前記ページである新規ページが追加されるように、前記画面指示データを編集するページ追加処理と、前記特定ページの末尾の前記動作アイコンが前記特定ページから削除され、且つ当該動作アイコンが前記新規ページの先頭に表示されるように、前記画面指示データを編集する第１移動処理と、編集した前記画面指示データを前記画像形成装置に出力する出力処理とを前記情報処理端末に実行させる。
【０００７】
上記構成によれば、追加操作によって特定ページの動作アイコンの数が上限値を超えると、特定ページの末尾の動作アイコンが特定ページの直後に新たに生成されたページに移動される。すなわち、ユーザが特定ページに纏めたいと考える複数の動作アイコン（以下、「グループアイコン」と表記する。）が、１回のスクロール操作で表示可能な範囲に纏められる。その結果、各ページに表示可能な動作アイコンの数の上限値の範囲内において、グループアイコンがユーザの意図に合わせて各ページに適切に配置される。
【図面の簡単な説明】
【０００８】
【図１】図１は、本実施形態に係る情報処理システム１００を構成するＭＦＰ１０及び情報処理端末５０のブロック図である。
【図２】図２は、メモリ６２に記憶された画面指示データの例であって、（Ａ）はページリストを、（Ｂ）はアイコンリストを示す。
【図３】図３は、メモリ６２に記憶された画面指示データの例であって、（Ａ）は新規ページが追加された後のページリストを、（Ｂ）は動作アイコン１５４が追加された後のアイコンリストを示す。
【図４】図４は、メイン処理のフローチャートである。
【図５】図５は、追加処理のフローチャートである。
【図６】図６は、削除処理のフローチャートである。
【図７】図７は、ページ編集処理のフローチャートである。
【図８】図８は、一覧画面１２０及びカスタマイズ画面１３０がディスプレイ５３に同時に表示された状態を示す図である。
【図９】図９は、動作アイコン１５４が追加されたカスタマイズ画面１３０の表示例である。
【図１０】図１０は、動作アイコン１５５が追加され、且つページタブ１４１が左クリックされたカスタマイズ画面１３０の表示例である。
【図１１】図１１は、ページタブ１４１〜１４３が並び替えられたカスタマイズ画面１３０の表示例である。
【図１２】図１２は、アイコン画面の表示例であって、（Ａ）はページＩＤ“ページ０２”に対応するページを、（Ｂ）はページＩＤ“ページ０３”に対応するページを示す。
【発明を実施するための形態】
【０００９】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。例えば、後述する各処理の実行順序は、本発明の要旨を変更しない範囲で、適宜変更することができる。
【００１０】
図１は、本実施形態に係る情報処理システム１００の概略図である。図１に示される情報処理システム１００は、ＭＦＰ（Multi-Function Peripheralの略）１０と、情報処理端末５０とで構成されている。ＭＦＰ１０及び情報処理端末５０は、通信ネットワーク１０１を通じて相互に通信可能に構成されている。通信ネットワーク１０１の具体例は特に限定されないが、例えば、インターネット、有線ＬＡＮ、無線ＬＡＮ、或いはこれらの組み合わせであってもよい。または、ＭＦＰ１０及び情報処理端末５０は、ＵＳＢケーブル等によって接続されていてもよい。
【００１１】
ＭＦＰ１０は、図１に示されるように、プリンタ１１と、スキャナ１２と、ＦＡＸ部１３と、ディスプレイ２３と、入力Ｉ／Ｆ２４と、通信Ｉ／Ｆ２５と、ＣＰＵ３１と、メモリ３２と、通信バス３３とを主に備える。ＭＦＰ１０を構成する各構成要素は、通信バス３３を通じて相互に接続されている。ＭＦＰ１０は、画像形成装置の一例である。
【００１２】
ディスプレイ２３には、液晶ディスプレイ、有機ＥＬディスプレイ等があり、各種情報を表示する表示画面を備える。ディスプレイ２３は、装置ディスプレイの一例である。
【００１３】
入力Ｉ／Ｆ２４は、ユーザによる入力操作を受け付けるユーザインタフェースである。具体的には、入力Ｉ／Ｆ２４はボタンを有しており、押下されたボタンに対応づけられた各種の操作信号をＣＰＵ３１へ出力する。さらに、入力Ｉ／Ｆ２４は、ディスプレイ２３の表示画面に重畳された膜状のタッチセンサを有していてもよい。ディスプレイ２３の表示画面に表示されたオブジェクトを特定する操作、文字列或いは数字列を入力する操作は、ユーザ操作の一例である。「オブジェクト」とは、例えば、ディスプレイ２３に表示された文字列、アイコン、ボタン、リンク、ラジオボタン、チェックボックス、プルダウンメニュー等である。入力Ｉ／Ｆ２４は、第２入力インタフェースの一例である。
【００１４】
タッチセンサとして実現される入力Ｉ／Ｆ２４は、ユーザがタッチした表示画面上の位置を示す位置情報を出力する。なお、本明細書中における「タッチ」とは、入力媒体を表示画面に接触させる操作全般を含む。また、入力媒体が表示画面に触れていなくても、表示画面との間の距離がごく僅かな位置まで入力媒体を近接させる「ホバー」或いは「フローティングタッチ」を、前述の「タッチ」の概念に含めてもよい。さらに入力媒体とは、ユーザの指であってもよいし、タッチペン等であってもよい。ディスプレイ２３に表示されたオブジェクトの位置をタップするユーザ操作は、当該オブジェクトを特定するユーザ操作の一例である。
【００１５】
通信Ｉ／Ｆ２５は、通信ネットワーク１０１を通じて外部装置と通信可能な第２通信インタフェースの一例である。すなわち、ＭＦＰ１０は、通信Ｉ／Ｆ２５を通じて外部装置に各種データを送信し、通信Ｉ／Ｆ２５を通じて外部装置から各種データを受信する。通信Ｉ／Ｆ２５の具体的な通信手順は特に限定されないが、例えば、Ｗｉ−Ｆｉ（登録商標）を採用することができる。また、ＭＦＰ１０及び情報処理端末５０がＵＳＢケーブルで接続される場合、通信Ｉ／Ｆ２５は、ＵＳＢケーブルを着脱可能なＵＳＢインタフェースであってもよい。
【００１６】
プリンタ１１は、画像データで示される画像をシートに記録するプリント動作を実行する。プリンタ１１の記録技術としては、インクジェット技術や電子写真技術などの公知の技術を採用することができる。スキャナ１２は、原稿に記録された画像を読み取ってスキャンデータを生成するスキャン動作を実行する。ＦＡＸ部１３は、画像データを外部装置にＦＡＸ送信し、画像データを外部装置からＦＡＸ受信するＦＡＸ動作を実行する。ＭＦＰ１０は、例えば、コピー動作、スキャンＰＣ動作、スキャンＵＳＢ動作、スキャンＷＥＢ動作、スキャンメール動作等がさらに実行可能であってもよい。
【００１７】
コピー動作は、スキャン動作でスキャナ１２が生成したスキャンデータで示される画像を、プリント動作でプリンタ１１がシートに記録する動作である。スキャンＰＣ動作は、スキャン動作でスキャナ１２が生成したスキャンデータを、通信Ｉ／Ｆ２５を通じて情報処理端末５０に送信する動作である。スキャンＵＳＢ動作は、スキャン動作でスキャナ１２が生成したスキャンデータを、不図示の装着部に装着されたＵＳＢメモリに記憶させる動作である。スキャンアップロード動作は、スキャン動作でスキャナ１２が生成したスキャンデータを、通信Ｉ／Ｆ２５を通じてインターネット上のストレージサーバに送信する動作である。スキャンメール動作は、スキャン動作でスキャナ１２が生成したスキャンデータを、通信Ｉ／Ｆ２５を通じてＳＭＴＰサーバに送信する動作である。
【００１８】
ＭＦＰ１０が実行可能な動作は、動作ＩＤによって識別される。例えば、プリンタ１１が実行するプリント動作は動作ＩＤ“Ｐｒｉｎｔ”で識別され、スキャナ１２が実行するスキャン動作は動作ＩＤ“Ｓｃａｎ”で識別され、ＦＡＸ部１３が実行するＦＡＸ動作は動作ＩＤ“ＦＡＸ”で識別され、コピー動作は動作ＩＤ“Ｃｏｐｙ”で識別され、スキャンＰＣ動作は動作ＩＤ“Ｓｃａｎ  ｔｏ  ＰＣ”で識別され、スキャンＵＳＢ動作は動作ＩＤ“Ｓｃａｎ  ｔｏ  ＵＳＢ”で識別され、スキャンアップロード動作は動作ＩＤ“Ｓｃａｎ  ｔｏ  ＷＥＢ”で識別され、スキャンメール動作は動作ＩＤ“Ｓｃａｎ  ｔｏ  Ｅｍａｉｌ”で識別される。
【００１９】
ＭＦＰ１０は、動作パラメータに従って前述の動作を実行する。動作パラメータは、動作の実行条件を示す情報である。動作パラメータは、１以上の項目（例えば、解像度、形式、サイズ、色、宛先）それぞれの設定値を含む。動作パラメータの項目は、対応する動作によって異なる。コピー動作の動作パラメータは、例えば、項目“サイズ”、“色”の設定値を含むことができる。スキャンＰＣ動作及びスキャンＵＳＢ動作の動作パラメータは、例えば、項目“解像度”、“形式”の設定値を含むことができる。スキャンアップロード動作及びスキャンメール動作の動作パラメータは、例えば、項目“形式”、“宛先”の設定値を含むことができる。
【００２０】
項目“解像度”の設定値は、原稿の読取解像度を示す。項目“形式”の設定値は、スキャンデータのファイル形式を示す。項目“サイズ”は、画像を記録するシートのサイズを示す。項目“色”は、プリント動作で用いる色を示す。項目“宛先”は、スキャンデータの送信先のサーバのＵＲＬ或いはＥメールアドレスを示す。但し、各動作の動作パラメータは、前述の項目の全てを含んでいなくてもよいし、前述の項目以外の項目をさらに含んでもよい。
【００２１】
ＣＰＵ３１は、ＭＦＰ１０の全体動作を制御するものである。ＣＰＵ３１は、入力Ｉ／Ｆ２４から出力される各種情報、通信Ｉ／Ｆ２５を通じて外部装置から取得した各種情報等に基づいて、後述する各種プログラムをメモリ３２から取得して実行する。ＣＰＵ３１及びメモリ３２は、第２コントローラの一例を構成する。
【００２２】
メモリ３２は、ＯＳ３４と、装置プログラム３５とを記憶している。装置プログラム３５は、単一のプログラムであってもよいし、複数のプログラムの集合体であってもよい。また、メモリ３２は、装置プログラム３５の実行に必要なデータ或いは情報等を記憶する。メモリ３２は、例えば、ＲＡＭ、ＲＯＭ、ＥＥＰＲＯＭ、ＨＤＤ、ＭＦＰ１０に着脱されるＵＳＢメモリ等の可搬記憶媒体、ＣＰＵ３１が備えるバッファ等、或いはそれらの組み合わせによって構成される。
【００２３】
メモリ３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。後述する情報処理端末５０のメモリ６２についても同様である。
【００２４】
メモリ３２は、例えば、図１２に示されるアイコン画面を示す画面指示データを記憶している。画面指示データは、例えば、ＭＦＰ１０の出荷前に製造メーカによってメモリ３２に記憶される。出荷時にメモリ３２に記憶されている画面指示データを、「標準画面データ」と表記することがある。画面指示データの形式は特に限定されないが、例えば、ＸＭＬ形式の情報であってもよい。
【００２５】
アイコン画面は、例えば、複数のページで構成されている。そして、ディスプレイ２３には、複数のページの１つが表示される。アイコン画面を構成するページは、１個以上で且つ３個以下の動作アイコンを含む。“３”は、動作アイコンの数の上限値の一例である。また、ディスプレイ２３に表示されるページは、入力Ｉ／Ｆ２４を通じてユーザが入力したスクロール操作に従って切り替えられる。画面指示データは、例えば、図２（Ａ）に示されるページリストと、図２（Ｂ）に示されるアイコンリストとを含む。
【００２６】
ページリストは、複数のページレコードと、背景画像データとを含む。ページレコードは、アイコン画面を構成する複数のページの１つに対応する。ページレコードは、ページＩＤと、テキストデータとを含む。ページＩＤは、アイコン画面を構成する複数のページを識別するページ識別情報である。テキストデータは、ページに対応付けられたページ情報の一例である。より詳細には、テキストデータは、対応するページのタイトルを示す文字列（以下、「ページテキスト」と表記する。）を示す。
【００２７】
背景画像データは、アイコン画面の背景図柄を示す。背景図柄は、アイコン画面を構成する全てのページに共通であってもよい。各ページは、ディスプレイ２３の表示領域のサイズ（以下、「表示領域サイズ」と表記する。）に略一致する背景図柄上に、動作アイコン等を示す図柄が合成された画面となる。
【００２８】
また、ページＩＤは、複数のページの配列順（以下、「ページ順序」と表記する）を示すページ順序情報としても利用される。例えば、ページＩＤ“ページ０１”はアイコン画面の左端のページを示し、ページＩＤ“ページ０２”はページＩＤ“ページ０１”の右隣のページを示し、ページＩＤ“ページ０３”はページＩＤ“ページ０２”の右隣のページを示す。すなわち、複数のページは、ページＩＤの昇順に配列される。但し、ページ順序を示す情報は、ページＩＤとは別にページレコードに含められてもよい。
【００２９】
アイコンリストは、複数のアイコンレコードを含む。アイコンレコードは、アイコン画面を構成する各ページに表示される動作アイコンと、入力Ｉ／Ｆ２４を通じて動作アイコンが特定された時にＭＦＰ１０に実行させる動作とを示す。アイコンレコードは、例えば、ページＩＤと、アイコンＩＤと、アイコン画像データと、テキストデータと、動作ＩＤと、動作パラメータとを含む。動作ＩＤ及び動作パラメータの組み合わせは、ＭＦＰ１０に実行させる動作を示す動作情報の一例である。
【００３０】
アイコンＩＤは、ページＩＤで識別されるページに表示される動作アイコンを識別するアイコン識別情報である。すなわち、アイコンＩＤは、同一のページＩＤに対して一意に設定される。アイコン画像データは、動作アイコンの図柄を示す画像データである。テキストデータは、動作アイコンに対応付けられたアイコン情報の一例である。より詳細には、テキストデータは、対応する動作アイコンに対応付けてアイコン画面に記述される文字列（以下、「アイコンテキスト」と表記する。）を示す。動作ＩＤは、対応する動作アイコンが特定された時に実行すべき動作を識別する。動作パラメータは、対応する動作ＩＤで識別される動作の実行条件を示す。
【００３１】
また、アイコンＩＤは、ページ上における動作アイコンの配列順（以下、「アイコン順序」と表記する。）を示すアイコン順序情報としても利用される。例えば、アイコンＩＤ“アイコン０１”はページの左端の位置を示し、アイコンＩＤ“アイコン０２”はアイコンＩＤ“アイコン０１”の右隣の位置を示し、アイコンＩＤ“アイコン０３”はアイコンＩＤ“アイコン０２”の右隣を示す。すなわち、動作アイコンは、ページの左端から右方に向かって、アイコンＩＤの昇順に配列される。ページの左方が配列順の前方であり、ページの右方が配列順の後方である。但し、アイコン順序を示す情報は、アイコンＩＤとは別にアイコンレコードに含められてもよい。
【００３２】
なお、ページＩＤ“ページ０２”及びアイコンＩＤ“アイコン０１”を含むアイコンレコードは、アイコン画像データ、動作ＩＤ、及び動作パラメータを含んでおらず、テキストデータ“Ｎｏ  Ｉｃｏｎ”が設定されている。すなわち、ページＩＤ“ページ０２”で識別されるページには、アイコンＩＤ“アイコン０１”で示される位置に動作アイコンが表示されない。このアイコンレコードは、ページＩＤ“ページ０２”で識別されるページのアイコンＩＤ“アイコン０１”で示される位置に、動作アイコンが追加可能であることを示す。ページＩＤ“ページ０２”のアイコンＩＤ“アイコン０１”で示される位置は、予約領域の一例である。
【００３３】
情報処理端末５０は、図１に示されるように、ディスプレイ５３と、入力Ｉ／Ｆ５４と、通信Ｉ／Ｆ５５と、ＣＰＵ６１と、メモリ６２と、通信バス６３とを主に備える。情報処理端末５０に含まれるディスプレイ５３、入力Ｉ／Ｆ５４、通信Ｉ／Ｆ５５、ＣＰＵ６１、メモリ６２、及び通信バス６３は、ＭＦＰ１０に含まれるディスプレイ２３、入力Ｉ／Ｆ２４、通信Ｉ／Ｆ２５、ＣＰＵ３１、メモリ３２、及び通信バス３３と同様の構成であるので、説明は省略する。
【００３４】
情報処理端末５０は、例えば、携帯電話、スマートフォン、タブレット端末、或いはＰＣ等である。ディスプレイ５３は端末ディスプレイの一例であり、入力Ｉ／Ｆ５４は第１入力インタフェースの一例であり、通信Ｉ／Ｆ５５は第１通信インタフェースの一例であり、ＣＰＵ６１及びメモリ６２は第１コントローラの一例である。
【００３５】
メモリ６２は、ＯＳ６４と、端末プログラム６５と、一覧プログラム６６とを記憶している。また図示は省略するが、メモリ６２は、特定装置ＩＤを記憶することができる。特定装置ＩＤは、通信Ｉ／Ｆ５５を通じて通信可能な複数のＭＦＰ１０のうち、ユーザが特定したＭＦＰ１０（以下、「特定装置」と表記する。）を識別する。また、入力Ｉ／Ｆ５４は、例えば、キーボードと、マウスとで構成されてもよい。
【００３６】
ＯＳ６４は、情報処理端末５０にインストールされた複数のプログラムそれぞれが生成した複数の画面（すなわち、ウィンドウ）を、ディスプレイ５３に同時に表示させることが可能である。すなわち、ＯＳ６４は、所謂マルチウィンドウ機能を有する。なお、ディスプレイ５３に表示される画面は、ＯＳ６４自身が表示させるもの（例えば、デスクトップ画面）であってもよい。
【００３７】
また、ＯＳ６４は、例えば図８に示されるように、ポインタ画像（例えば、矢印を表す画像）１１０をディスプレイ５３に表示させ、マウスの移動に追従してディスプレイ５３上におけるポインタ画像１１０の位置を移動させ、ポインタ画像１１０の位置を端末プログラム６５に通知する。また、ＯＳ６４は、例えばキーボードに搭載された複数のボタン、及びマウスに搭載された２つのボタン（以下、「左ボタン」、「右ボタン」と表記する。）が押下されたことを、端末プログラム６５に通知する。
【００３８】
以下、ディスプレイ５３に表示されたオブジェクトの位置にポインタ画像１１０を重ねた状態で、左ボタンを押下する操作を「オブジェクトに対する左クリック操作」と表記する。同様に、ディスプレイ５３に表示されたオブジェクトの位置にポインタ画像１１０を重ねた状態で、右ボタンを押下する操作を「オブジェクトに対する右クリック操作」と表記する。
【００３９】
さらに、ディスプレイ５３に表示されたオブジェクトの位置（以下、「開始位置」と表記する。）にポインタ画像１１０を重ねた状態で左ボタンを押下し、左ボタンを押下したままポインタ画像１１０を移動させ、開始位置と異なる終了位置で左ボタンの押下を解除する操作を「オブジェクトに対するドラッグ操作」と表記する。すなわち、ドラッグ操作とは、ディスプレイ５３上の開始位置及び終了位置の間を、左ボタンを押下したままポインタ画像１１０を移動させる操作である。さらに換言すれば、ドラッグ操作は、開始位置に表示されたオブジェクトを、終了位置に移動させる操作である。
【００４０】
端末プログラム６５は、ＭＦＰ１０のアイコン画面をカスタマイズするプログラムである。より詳細には、端末プログラム６５は、入力Ｉ／Ｆ５４を通じたユーザ操作に従って画面指示データを編集し、編集した画面指示データをＭＦＰ１０に出力する。一覧プログラム６６は、例えば図８に示されるように、複数の画像アイコン１２１〜１２５を含む一覧画面１２０を、ディスプレイ５３の一部の領域に表示させる外部プログラム（例えば、エクスプローラ）の一例である。
【００４１】
画像アイコン１２１〜１２５は、例えば、メモリ６２に記憶された複数の画像データの１つに対応付けられている。画像アイコン１２１〜１２５に対応付けられた画像データは、例えば、カメラで撮影した写真、不図示のペイントプログラムを用いて生成した画像等の任意の画像を示す。すなわち、メモリ６２に記憶された複数の画像データは、サイズ（縦方向の画素数、横方向の画素数）が互いに異なる画像を示してもよい。
【００４２】
また、複数の画像データは、メモリ６２の異なる領域（例えば、フォルダ）に記憶されていてもよい。そして、一覧プログラム６６は、例えば、メモリ６２に確保された複数のフォルダのうち、ユーザが特定したフォルダに記憶された画像データに対応する画像アイコン１２１〜１２５を一覧表示させてもよい。さらに、画像アイコン１２１〜１２５に対応付けられた画像データは、例えば、インターネット上のストレージサーバ（不図示）に記憶されていてもよい。
【００４３】
図４〜図７を参照して、本実施形態に係る情報処理システム１００の動作を説明する。
【００４４】
本明細書のフローチャートは、基本的に、プログラムに記述された命令に従ったＣＰＵ３１、６１の処理を示す。すなわち、以下の説明における「判断」、「抽出」、「選択」、「算出」、「決定」、「特定」、「制御」等の処理は、ＣＰＵ３１、６１の処理を表している。ＣＰＵ６１による処理は、ＯＳ６４を介したハードウェア制御も含む。また、本明細書中の「データ」とは、コンピュータに読取可能なビット列で表される。そして、実質的な意味内容が同じでフォーマットが異なるデータは、同一のデータとして扱われるものとする。本明細書中の「情報」についても同様である。
【００４５】
［メイン処理］
端末プログラム６５は、例えば、入力Ｉ／Ｆ５４を通じたユーザの指示で起動されたことに応じて、図４に示されるメイン処理を実行する。まず、端末プログラム６５は、メモリ６２に記憶された特定ページＩＤ及び特定アイコンＩＤを初期化する。例えば、特定ページＩＤの初期値は“ページ０１”であり、特定アイコンＩＤの初期値は“アイコン０１”である。
【００４６】
特定ページＩＤは、アイコン画面を構成する複数のページの１つ（以下、「特定ページ」と表記することがある。）を識別するための情報である。特定アイコンＩＤは、特定ページＩＤで識別されるページに表示される複数の動作アイコンの１つ（以下、「特定アイコン」と表記することがある。）を識別するための情報である。特定ページＩＤで識別されるページは特定ページの一例であり、特定アイコンＩＤで識別される動作アイコンは特定アイコンの一例である。
【００４７】
次に、端末プログラム６５は、特定装置の標準画面データと、特定装置の装置情報とを取得する。装置情報は、例えば、特定装置のディスプレイ２３の表示領域サイズ、及びアイコン画面に配置される動作アイコンのアイコンサイズを示す情報（例えば、縦方向の画素数、横方向の画素数）等を含む。そして、端末プログラム６５は、取得した標準画面データ及び装置情報を、メモリ６２に一時記憶させる。
【００４８】
一例として、端末プログラム６５は、画面指示データ及び装置情報をメモリ６２から読み出してもよい。他の例として、端末プログラム６５は、通信Ｉ／Ｆ５５を通じて特定装置から画面指示データ及び装置情報を受信してもよい。さらに他の例として、端末プログラム６５は、特定装置のモデル名を示すモデル情報を通信Ｉ／Ｆ５５を通じて不図示のサーバに送信してもよい。そして、端末プログラム６５は、モデル情報に対応付けてサーバメモリに記憶された画面指示データ及び装置情報を、通信Ｉ／Ｆ５５を通じてサーバから受信してもよい。
【００４９】
次に、端末プログラム６５は、例えば図８に示されるように、ディスプレイ５３の一部の領域にカスタマイズ画面１３０を表示させる（Ｓ１１）。Ｓ１１の処理は、表示処理及び第１表示処理の一例である。そして、端末プログラム６５は、カスタマイズ画面１３０に対するユーザ操作を、入力Ｉ／Ｆ５４を通じて受け付ける（Ｓ１２〜Ｓ１５）。
【００５０】
カスタマイズ画面１３０は、［保存］ボタン１３１と、［送信］ボタン１３２と、ツリー領域１３３と、プレビュー領域１３４と、詳細領域１３５とを含む。［保存］ボタン１３１は、後述するＳ１７、Ｓ１８、Ｓ１９で編集した画面指示データを、メモリ６２或いは不図示のサーバに保存する指示に対応する。［送信］ボタン１３２は、Ｓ１７〜Ｓ１９で編集した画面指示データを、特定装置に送信する指示に対応する。
【００５１】
ツリー領域１３３は、アイコン画面を構成する複数のページの並び順、及び複数のページそれぞれに表示される動作アイコンの並び順が一覧表示される第１領域の一例である。プレビュー領域１３４は、特定ページに含まれる動作アイコンが、画面指示データで示されるレイアウトで表示される第２領域の一例である。詳細領域１３５は、特定アイコンに関連付けられた情報が表示される第３領域の一例である。
【００５２】
ツリー領域１３３、プレビュー領域１３４、及び詳細領域１３５は、カスタマイズ画面１３０上で並列に表示される。より詳細には、ツリー領域１３３、プレビュー領域１３４、及び詳細領域１３５は、カスタマイズ画面１３０の左右方向に沿ってこの順に配列されている。すなわち、ユーザは、表示を切り替えるユーザ操作等をしなくても、各領域１３３〜１３５に表示される情報を一目で把握することができる。
【００５３】
ツリー領域１３３には、アイコン画面を構成する複数のページそれぞれについて、当該ページのページテキストと、当該ページに含まれる動作アイコンのアイコンテキストとが対応付けられて一覧表示される。また、複数のページテキストは、ページ順序に従って上下方向に配列されている。また、ページテキストに対応付けられた複数のアイコンテキストは、アイコン順序に従って上下方向に配列されている。また、ツリー領域１３３に表示されるテキストのうち、特定ページＩＤ“ページ０１”及び特定アイコンＩＤ“アイコン０１”に対応するアイコンテキスト“スキャンＰＣ”は、他のアイコンテキストと異なる表示態様（例えば、ハイライト表示）で表示される。
【００５４】
さらに、ツリー領域１３３には、全てのページに共通の情報として背景画像データのファイル名“bg_image.jpeg”が表示される。また、アイコン画面には、例えば図１２に示されるように、スクロールアイコン１７３、１７４、設定ボタン１７５、お知らせ表示領域１７６、及び［スタート］ボタン１７７等が表示される。しかしながら、これらは端末プログラム６５によって編集できないので、ツリー領域１３３には表示されない。すなわち、ツリー領域１３３には、画面指示データに含まれる情報のうち、後述するＳ１７、Ｓ１８、Ｓ１９でユーザの指示に従って編集可能な情報のみが表示されればよい。
【００５５】
プレビュー領域１３４は、例えば図８に示されるように、ページタブ１４１、１４２と、［＋］タブ１４４と、レイアウト領域１４５とを含む。ページタブ１４１、１４２は、ページレコードの１つに対応する。ページタブ１４１、１４２は、ページ順序に従って左右方向に配列されている。また、図８に示されるカスタマイズ画面１３０において、特定ページＩＤを含むページレコードに対応するページタブ１４１が選択された状態になっている。［＋］タブ１４４は、アイコン画面に新たなページを追加する指示に対応する。
【００５６】
レイアウト領域１４５は、画面指示データに従ってＭＦＰ１０のディスプレイ２３に表示されるアイコン画面と共通のレイアウトで、動作アイコン１５１、１５２、１５３が表示される領域である。動作アイコン１５１〜１５３は、特定ページＩＤ“ページ０１”を含むアイコンレコードに対応する。動作アイコン１５１〜１５３の図柄は、対応するアイコンレコードのアイコン画像データで示される。また、図８に示されるカスタマイズ画面１３０において、特定アイコンＩＤ“アイコン０１”を含むアイコンレコードに対応する動作アイコン１５１が選択された状態になっている。
【００５７】
また、レイアウト領域１４５には、スクロールアイコン１４７が表示される。スクロールアイコン１４７は、特定ページＩＤ“ページ０１”を、ページ順序の直後のページＩＤ“ページ０２”に切り替える指示に対応する。また、図１１に示されるカスタマイズ画面１３０には、特定ページＩＤ“ページ０２”を、ページ順序の直前のページＩＤ“ページ０１”に切り替える指示に対応するスクロールアイコン１４６が表示される。
【００５８】
また、レイアウト領域１４５は、挿入領域を含んでもよい。挿入領域は、新たな動作アイコンを挿入可能な領域である。挿入領域は、動作アイコン１５１、１５２、１５３それぞれの左隣の領域である。なお、レイアウト領域１４５は、挿入領域を示す挿入領域画像を含んでもよい。さらに、レイアウト領域１４５は、背景領域を含む。背景領域は、背景画像データで示される背景図柄が表示される領域である。背景領域は、例えば、動作アイコン１５１〜１５３の上方及び下方の領域である。
【００５９】
詳細領域１３５は、例えば図８に示されるように、特定ページＩＤ“ページ０１”及び特定アイコンＩＤ“アイコン０１”を含むアイコンレコードに含まれる情報のうち、アイコンテキスト“スキャンＰＣ”と、動作情報“Ｓｃａｎ  ｔｏ  ＰＣ”、“３００ｄｐｉ”、“ＰＤＦ”と、アイコン画像データで示される図柄とを含む。また、詳細領域１３５は、アイコンテキストの入力を受け付けるためのテキストボックス１６１と、動作情報を変更する指示に対応する［変更］ボタン１６２と、アイコン画像データを変更する指示に対応する［変更］ボタン１６３とを含む。
【００６０】
次に、端末プログラム６５は、例えば、図８に示される画像アイコン１２２を動作アイコン１５２、１５３の間の挿入領域の位置に移動させるドラッグ操作を、入力Ｉ／Ｆ５４を通じて受け付ける（Ｓ１２：Ｙｅｓ）。このドラッグ操作は、特定ページへの動作アイコンの追加を指示する追加操作の一例である。Ｓ１２の処理は、第１受付処理の一例である。そして、端末プログラム６５は、図５に示される追加処理を実行する（Ｓ１６）。
【００６１】
［追加処理］
まず、端末プログラム６５は、特定ページＩＤ“ページ０１”を含むアイコンレコードのうち、挿入領域より後方の動作アイコン１５３に対応するアイコンレコードのアイコンＩＤを繰り下げる。なお、特定ページの末尾に動作アイコンが追加される場合には、アイコンＩＤは繰り下げられない。また、アイコンＩＤ“アイコン０４”を含むアイコンレコードがアイコン画像データを含まない場合、端末プログラム６５は、当該アイコンレコードをアイコンリストから削除する。
【００６２】
また、端末プログラム６５は、画像アイコン１２２に対応付けられた画像データをアイコンサイズに拡大或いは縮小して、アイコン画像データを生成する。そして、端末プログラム６５は、特定ページＩＤ“ページ０１”、挿入領域の直後の位置を示すアイコンＩＤ“アイコン０３”、及び生成したアイコン画像データを含むアイコンレコードを、アイコンリストに登録する（Ｓ３１）。Ｓ３１の処理は、アイコン追加処理の一例である。
【００６３】
次に、端末プログラム６５は、特定ページＩＤ“ページ０１”を含むアイコンレコードの数が上限値を超えたか否かを判断する（Ｓ３２）。そして、端末プログラム６５は、アイコンレコードの数が上限値以下だと判断したことに応じて（Ｓ３２：３以下）、Ｓ３３〜Ｓ３８の処理をスキップして、追加処理を終了する。Ｓ３２の処理は、第１判断処理の一例である。
【００６４】
一方、端末プログラム６５は、アイコンレコードの数が上限値を超えたと判断したことに応じて（Ｓ３２：４）、特定ページＩＤ“ページ０１”を含むページレコードと、特定ページＩＤの直後のページＩＤ“ページ０２”を含むページレコードとのページテキストが共通か否かを判断する（Ｓ３３）。Ｓ３３の処理は、第２判断処理の一例である。なお、「ページテキストが共通する」とは、例えば、ページテキストが同一であることを指してもよいし、ページテキストが同一の文字列と序数（例えば、１、２、・・・／Ａ、Ｂ、・・・等）とで構成されていることを指してもよい。すなわち、共通のページテキストが割り当てられた複数のページが、後述するグループページであるとユーザが認識可能であればよい。
【００６５】
次に、端末プログラム６５は、ページＩＤ“ページ０１”、“ページ０２”を含むページレコードのページテキストが共通でないと判断したことに応じて（Ｓ３３：Ｎｏ）、ページＩＤ“ページ０２”以降の各ページＩＤを繰り下げる。なお、特定ページＩＤがアイコン画面の末尾のページを示す場合には、ページＩＤは繰り下げられない。また、特定ページＩＤの直後のページＩＤがページリストに登録されていない場合にも、ページテキストが共通でないと判断される。
【００６６】
そして、端末プログラム６５は、特定ページＩＤ“ページ０１”を含むページレコードを複製し、複製したページレコードにページＩＤ“ページ０２”をセットしてページリストに登録する（Ｓ３７）。Ｓ３７で登録されたページレコードで示されるページは、新規ページの一例である。すなわち、新規ページは、ページ順序における特定ページの直後に位置し、且つ特定ページと共通のページテキストが対応付けられる。Ｓ３７の処理は、特定ページの直後に新規ページを追加するページ追加処理の一例である。
【００６７】
次に、端末プログラム６５は、特定ページＩＤ“ページ０１”及びアイコンＩＤ“アイコン０４”を含むアイコンレコードについて、ページＩＤを“ページ０２”に置換し、アイコンＩＤを“アイコン０１”に置換する（Ｓ３８）。Ｓ３８の処理は、特定ページの末尾の動作アイコン１５３を特定ページから削除し、且つ動作アイコン１５３を新規ページの先頭に表示させる第１移動処理の一例である。
【００６８】
次に図４に戻って、端末プログラム６５は、動作登録処理を実行する（Ｓ１７）。動作登録処理は、ユーザが特定したアイコンテキスト及び動作情報を、Ｓ３１で新たに登録したアイコンレコードに登録する処理である。より詳細には、端末プログラム６５は、アイコンテキスト、動作ＩＤ、及び動作パラメータの入力を促す画面をディスプレイ５３に表示させ、入力Ｉ／Ｆ５４を通じてユーザが入力或いは選択したアイコンテキスト“スキャンＭａｉｌ”と、動作ＩＤ“Ｓｃａｎ  ｔｏ  Ｅｍａｉｌ”と、動作パラメータ“ＪＰＥＧ”、“aaa@brother.com”とを、Ｓ３１で登録したアイコンレコードにセットする。
【００６９】
Ｓ１６、Ｓ１７の処理によって、図２に示される画面指示データが図３のように編集される。さらに、端末プログラム６５は、Ｓ３１で追加したアイコンレコードのアイコンＩＤ“アイコン０３”を、特定アイコンＩＤにセットする。そして、端末プログラム６５は、図３に示される画面指示データに従って、図９に示されるカスタマイズ画面１３０を、ディスプレイ５３に表示させる（Ｓ１１）。
【００７０】
その結果、ツリー領域１３３には、ページＩＤ“ページ０１”のページテキスト“スキャン”に対応するアイコンテキスト“スキャンＰＣ”、“スキャンＵＳＢ”、“スキャンＭａｉｌ”がこの順に表示され、ページＩＤ“ページ０２”のページテキスト“スキャン”に対応するアイコンテキスト“スキャンＦＴＰ”、“Ｎｏ  Ｉｃｏｎ”、“Ｎｏ  Ｉｃｏｎ”がこの順に表示され、テキストアイコン“スキャンＭａｉｌ”がハイライト表示される。また、プレビュー領域１３４には、動作アイコン１５１、１５２、１５４がこの順に表示され、動作アイコン１５４が選択された状態となる。さらに、詳細領域１３５には、動作アイコン１５４に関連付けられた情報が表示される。
【００７１】
また、端末プログラム６５は、例えば、図８に示される画像アイコン１２３を、図９に示される動作アイコン１５１、１５２の間の挿入領域の位置に移動させるドラッグ操作を、入力Ｉ／Ｆ５４を通じて受け付ける（Ｓ１２：Ｙｅｓ）。以下、前述の処理との共通点の詳細な説明は省略し、相違点を中心にＳ１６、Ｓ１７の処理を説明する。
【００７２】
まず、端末プログラム６５は、特定ページＩＤ“ページ０１”を含むアイコンレコードのうち、挿入領域より後方の動作アイコン１５２、１５４に対応するアイコンレコードのアイコンＩＤを繰り下げる。また、端末プログラム６５は、画像アイコン１２３に対応付けられた画像データをアイコンサイズに拡大或いは縮小して、アイコン画像データを生成する。そして、端末プログラム６５は、特定ページＩＤ“ページ０１”、挿入領域の直後の位置を示すアイコンＩＤ“アイコン０２”、及び生成したアイコン画像データを含むアイコンレコードを、アイコンリストに登録する（Ｓ３１）。
【００７３】
次に、端末プログラム６５は、特定ページＩＤ“ページ０１”を含むアイコンレコードの数が上限値を超え、且つページＩＤ“ページ０１”、“ページ０２”を含むページレコードのページテキストが共通だと判断したことに応じて（Ｓ３２：４＆Ｓ３３：Ｙｅｓ）、ページＩＤ“ページ０２”を含むアイコンレコードのアイコンＩＤを繰り下げる（Ｓ３４）。ページＩＤ“ページ０２”を含むページレコードで示されるページは、次ページの一例である。なお、アイコンＩＤ“アイコン０４”を含むアイコンレコードがアイコン画像データを含まない場合、端末プログラム６５は、当該アイコンレコードをアイコンリストから削除する。
【００７４】
次に、端末プログラム６５は、特定ページＩＤ“ページ０１”及びアイコンＩＤ“アイコン０４”を含むアイコンレコードについて、ページＩＤを“ページ０２”に置換し、アイコンＩＤを“アイコン０１”に置換する（Ｓ３５）。Ｓ３４、Ｓ３５の処理は、特定ページの末尾の動作アイコン１５４を特定ページから削除し、且つ動作アイコン１５４を次ページの先頭に表示させる第２移動処理の一例である。
【００７５】
次に、端末プログラム６５は、ページＩＤ“ページ０２”のページを特定ページとし、ページＩＤ“ページ０３”のページを次ページとして、Ｓ３２以降の処理を実行する。そして、端末プログラム６５は、特定ページに含まれる動作アイコンの数が上限値以下であるか（Ｓ３２：３以下）、特定ページ及び次ページのページテキストが共通でないと判断するまで（Ｓ３３：Ｎｏ）、Ｓ３２〜Ｓ３６の処理を繰り返し実行する。
【００７６】
次に図４に戻って、端末プログラム６５は、入力Ｉ／Ｆ５４を通じてユーザが入力或いは選択したアイコンテキスト“スキャンクラウド”と、動作ＩＤ“Ｓｃａｎ  ｔｏ  ＷＥＢ”と、動作パラメータ“ＰＤＦ”、“www.svr-b.com”とを、Ｓ３１で登録したアイコンレコードにセットする（Ｓ１７）。さらに、端末プログラム６５は、Ｓ３１で追加したアイコンレコードのアイコンＩＤ“アイコン０２”を、特定アイコンＩＤにセットする。そして、端末プログラム６５は、Ｓ１６、Ｓ１７で編集した画面指示データに従って、図１０に示されるカスタマイズ画面１３０を、ディスプレイ５３に表示させる（Ｓ１１）。
【００７７】
その結果、ツリー領域１３３には、ページＩＤ“ページ０１”のページテキスト“スキャン”に対応するアイコンテキスト“スキャンＰＣ”、“スキャンクラウド”、“スキャンＵＳＢ”がこの順に表示され、ページＩＤ“ページ０２”のページテキスト“スキャン”に対応するアイコンテキスト“スキャンＭａｉｌ”、“スキャンＦＴＰ”、“Ｎｏ  Ｉｃｏｎ”がこの順に表示され、テキストアイコン“スキャンクラウド”がハイライト表示される。また、プレビュー領域１３４には、動作アイコン１５１、１５５、１５２がこの順に表示され、動作アイコン１５５が選択された状態となる。さらに、詳細領域１３５には、動作アイコン１５５に関連付けられた情報が表示される。
【００７８】
また、端末プログラム６５は、例えば、図１０に示される動作アイコン１５５をレイアウト領域１４５の外に移動させるドラッグ操作を、入力Ｉ／Ｆ５４を通じて受け付ける（Ｓ１３：Ｙｅｓ）。このドラッグ操作は、特定ページに含まれる動作アイコンの削除を指示する削除操作の一例である。Ｓ１３の処理は、第２受付処理の一例である。そして、端末プログラム６５は、図６に示される削除処理を実行する（Ｓ１８）。
【００７９】
［削除処理］
まず、端末プログラム６５は、特定ページＩＤ“ページ０１”を含むアイコンレコードのうち、動作アイコン１５５に対応するアイコンＩＤ“アイコン０２”を含むアイコンレコードを、アイコンリストから削除する（Ｓ４１）。また、端末プログラム６５は、特定ページＩＤ“ページ０１”を含むアイコンレコードのうち、削除したアイコンレコードよりアイコン順序の後方のアイコンレコードのアイコンＩＤを繰り上げる。なお、特定ページの末尾の動作アイコンが削除された場合には、アイコンＩＤは繰り上げられない。Ｓ４１の処理は、アイコン削除処理の一例である。
【００８０】
次に、端末プログラム６５は、特定ページＩＤ“ページ０１”を含むページレコードと、特定ページＩＤの直後のページＩＤ“ページ０２”を含むページレコードとのページテキストが共通か否かを判断する（Ｓ４２）。ページＩＤ“ページ０２”を含むページレコードで示されるページは、次ページの一例である。Ｓ４２の処理は、第３判断処理の一例である。Ｓ４２の判断手法は、Ｓ３３と同様であってもよい。そして、端末プログラム６５は、ページＩＤ“ページ０１”、“ページ０２”のページテキストが共通でないと判断したことに応じて（Ｓ４２：Ｎｏ）、Ｓ４３〜Ｓ４７の処理をスキップして、削除処理を終了する。
【００８１】
一方、端末プログラム６５は、ページＩＤ“ページ０１”、“ページ０２”のページテキストが共通だと判断したことに応じて（Ｓ４２：Ｙｅｓ）、ページＩＤ“ページ０２”及びアイコンＩＤ“アイコン０１”を含むアイコンレコードについて、ページＩＤを“ページ０１”に置換し、アイコンＩＤを“アイコン０３”に置換する（Ｓ４３）。Ｓ４３の処理は、次ページの先頭の動作アイコン１５４を次ページから削除し、且つ動作アイコン１５４を特定ページの末尾に表示させる第３移動処理の一例である。
【００８２】
次に、端末プログラム６５は、ページＩＤ“ページ０２”を含むアイコンレコードのうち、アイコン画像データを含むアイコンレコードが存在するか否かを判断する（Ｓ４４）。Ｓ４４の処理は、Ｓ４１によって次ページから動作アイコンが無くなったか否かを判断する第４判断処理の一例である。端末プログラム６５は、ページＩＤ“ページ０２”及びアイコン画像データを含むアイコンレコードが存在すると判断したことに応じて（Ｓ４４：Ｙｅｓ）、ページＩＤ“ページ０２”を含むアイコンレコードのアイコンＩＤを繰り上げる（Ｓ４５）。
【００８３】
次に、端末プログラム６５は、ページＩＤ“ページ０２”のページを特定ページとし、ページＩＤ“ページ０３”のページを次ページとして、Ｓ４２以降の処理を実行する。そして、端末プログラム６５は、特定ページ及び次ページのページテキストが共通でないと判断するか（Ｓ４２：Ｎｏ）、次ページから動作アイコンがなくなったと判断するまで（Ｓ４４：Ｎｏ）、Ｓ４２〜Ｓ４６の処理を繰り返し実行する。
【００８４】
これにより、画面指示データが図３に示されるように編集される。また、端末プログラム６５は、Ｓ４１で削除したアイコンレコードのアイコンＩＤ“アイコン０２”を、特定アイコンＩＤにセットする。そして、端末プログラム６５は、Ｓ１８で編集した画面指示データに従って、図９に示されるカスタマイズ画面１３０を、ディスプレイ５３に表示させる（Ｓ１１）。
【００８５】
また、端末プログラム６５は、例えば、図９に示される動作アイコン１５４をレイアウト領域１４５の外に移動させるドラッグ操作を、入力Ｉ／Ｆ５４を通じて受け付ける（Ｓ１３：Ｙｅｓ）。以下、前述の処理との共通点の詳細な説明は省略し、相違点を中心にＳ１８の処理を説明する。
【００８６】
まず、端末プログラム６５は、特定ページＩＤ“ページ０１”を含むアイコンレコードのうち、動作アイコン１５４に対応するアイコンＩＤ“アイコン０３”を含むアイコンレコードを、アイコンリストから削除する（Ｓ４１）。次に、端末プログラム６５は、ページＩＤ“ページ０１”、“ページ０２”のページテキストが共通だと判断したことに応じて（Ｓ４２：Ｙｅｓ）、ページＩＤ“ページ０２”及びアイコンＩＤ“アイコン０１”を含むアイコンレコードについて、ページＩＤを“ページ０１”に置換し、アイコンＩＤを“アイコン０３”に置換する（Ｓ４３）。
【００８７】
次に、端末プログラム６５は、ページＩＤ“ページ０２”及びアイコン画像データを含むアイコンレコードが存在しないと判断したことに応じて（Ｓ４４：Ｎｏ）、ページＩＤ“ページ０２”を含むページレコードを、ページリストから削除する（Ｓ４７）。また、端末プログラム６５は、ページＩＤ“ページ０３”以降の各ページＩＤを繰り上げる。なお、アイコン画面の末尾のページが削除された場合には、ページＩＤは繰り上げられない。Ｓ４７の処理は、次ページをアイコン画面から削除するページ削除処理の一例である。
【００８８】
これにより、画面指示データが図２に示されるように編集される。また、端末プログラム６５は、Ｓ４１で削除したアイコンレコードのアイコンＩＤ“アイコン０３”を、特定アイコンＩＤにセットする。そして、端末プログラム６５は、Ｓ１８で編集した画面指示データに従って、図８に示されるカスタマイズ画面１３０を、ディスプレイ５３に表示させる（Ｓ１１）。
【００８９】
また、端末プログラム６５は、例えば、図１０に示されるページタブ１４１に対する左クリック操作を、入力Ｉ／Ｆ５４を通じて受け付ける（Ｓ１４：Ｙｅｓ）。この左クリック操作は、アイコン画面を構成する複数のページの１つを特定ページとして特定する第１特定操作の一例である。すなわち、前述の左クリック操作によって、ページＩＤ“ページ０１”を含むページレコードで示されるページが、特定ページとして特定される。Ｓ１４の処理は、第３受付処理の一例である。そして、端末プログラム６５は、図７に示されるページ編集処理を実行する（Ｓ１９）。
【００９０】
［ページ編集処理］
まず、端末プログラム６５は、ページタブ１４１に対応するページレコードを含んで連続する複数のページレコードにおいて、ページテキストが共通するか否かを判断する（Ｓ５１）。Ｓ５１の処理は、第５判断処理の一例である。そして、端末プログラム６５は、図３（Ａ）に示されるページリスト内において、連続するページＩＤ“ページ０１”、“ページ０２”に対応するページテキスト“スキャン”が共通すると判断したことに応じて（Ｓ５１：Ｙｅｓ）、この２つのページレコードのページＩＤ“ページ０１”、“ページ０２”を、ページリストから読み出してメモリ６２に一時記憶させる（Ｓ５２）。Ｓ５２の処理は、第１抽出処理の一例である。また、端末プログラム６５は、図１０に示されるように、一時記憶させたページＩＤ“ページ０１”、“ページ０２”に対応するページタブ１４１、１４２をハイライト表示する。
【００９１】
次に、端末プログラム６５は、例えば、ページテキスト“Ｓｃａｎ”を入力する入力操作を入力Ｉ／Ｆ５４を通じて受け付けたことに応じて（Ｓ５５：Ｙｅｓ）、図３（Ａ）に示されるページリストに登録されたページレコードのうち、Ｓ５２で一時記憶させたページＩＤ“ページ０１”、“ページ０２”に対応するページテキスト“スキャン”を、入力されたページテキスト“Ｓｃａｎ”に置換する（Ｓ５７）。この入力操作は、特定ページに対応付けられたページテキストの変更を指示する編集操作の一例である。Ｓ５５の処理は第４受付処理の一例であり、Ｓ５７の処理は編集処理の一例である。
【００９２】
そして、端末プログラム６５は、Ｓ５７で編集した画面指示データに従って、カスタマイズ画面１３０をディスプレイ５３に表示させる（Ｓ１１）。その結果、図１０に示されるカスタマイズ画面のうち、ツリー領域１３３の２箇所のページテキスト“スキャン”と、ページタブ１４１、１４２に記述されたページテキスト“スキャン”とが、Ｓ５５で入力された新たなページテキスト“Ｓｃａｎ”に変更される。
【００９３】
また、端末プログラム６５は、例えば、図１０に示されるページタブ１４１を、ページタブ１４３及び［＋］タブ１４４の間の位置に移動させるドラッグ操作を入力Ｉ／Ｆ５４を通じて受け付けたことに応じて（Ｓ５６：Ｙｅｓ）、図３に示されるページリスト及びアイコンリストのページＩＤを、“ページ０３”、“ページ０１”、“ページ０２”に置換する（Ｓ５８）。このドラッグ操作は、ページ順序で示される特定ページの位置の変更を指示する編集操作の一例である。換言すれば、このドラッグ操作は、アイコン画面を構成する複数のページの並び順の変更を指示する編集操作の一例である。Ｓ５６の処理は第４受付処理の一例であり、Ｓ５８の処理は編集処理の一例である。
【００９４】
そして、端末プログラム６５は、Ｓ５８で編集した画面指示データに従って、図１１に示されるカスタマイズ画面１３０を、ディスプレイ５３に表示させる（Ｓ１１）。その結果、ツリー領域１３３には、ページテキスト“コピー”、“スキャン”、“スキャン”がこの順に表示される。一方、ページテキスト及びアイコンテキストの対応関係は、図１０から変更されない。また、プレビュー領域１３４には、ページタブ１４３、１４１、１４２がこの順に表示される。すなわち、端末プログラム６５は、Ｓ５３で抽出したページＩＤ“ページ０１”、“ページ０２”に対応するページの相対的な位置を変更せずに、アイコン画面を構成する複数のページを編集操作に従って並び替える。
【００９５】
一方、端末プログラム６５は、図１０のハイライト表示されたページタブ１４１に対する左クリック操作（以下、「再クリック」と表記することがある。）を入力Ｉ／Ｆ５４を通じて受け付けたことに応じて（Ｓ５４：Ｙｅｓ）、Ｓ５３で抽出したページＩＤ“ページ０１”、“ページ０２”のうち、再クリックされたページタブ１４１に対応するページＩＤ“ページ０１”のみをメモリ６２に一時記憶させる（Ｓ５２）。再クリックは、第１抽出処理で抽出したページのうちの１つを特定ページとして特定する第２特定操作の一例である。Ｓ５２の処理は第２抽出処理の一例であり、Ｓ５４の処理は第５受付処理の一例である。
【００９６】
そして、端末プログラム６５は、Ｓ５５、Ｓ５６で受け付けた編集操作に従って、Ｓ５２で抽出したページＩＤ“ページ０１”に対応するページを編集する。すなわち、前述の入力操作の例によれば、ページＩＤ“ページ０１”、“ページ０２”のうち、ページＩＤ“ページ０１”に対応するページテキストのみが“Ｓｃａｎ”に置換される。また、前述のドラッグ操作の例によれば、図３（Ａ）に示されるページＩＤが、“ページ０３”、“ページ０１”、“ページ０２”に並び替えられる。なお、端末プログラム６５は、連続するページＩＤに対応するページテキストが共通しないと判断した場合にも（Ｓ５１：Ｎｏ）、Ｓ５２の処理を実行する。
【００９７】
次に図４に戻って、端末プログラム６５は、図１１に示される［送信］ボタン１３２に対する左クリック操作を入力Ｉ／Ｆ５４を通じて受け付けたことに応じて（Ｓ１５：Ｙｅｓ）、編集した画面指示データ（以下、「カスタム画面データ」と表記することがある。）を、直接的或いは間接的に特定装置に出力する（Ｓ２０）。Ｓ２０の処理は、出力処理及び送信処理の一例である。また図示は省略するが、端末プログラム６５は、図１１に示される［保存］ボタン１３１に対する左クリック操作を入力Ｉ／Ｆ５４を通じて受け付けたことに応じて、編集した画面指示データをメモリ６２或いは不図示のサーバに記憶させる。
【００９８】
直接的に出力する例として、端末プログラム６５は、通信Ｉ／Ｆ５５を通じて特定装置にカスタム画面データを送信してもよい。間接的に出力する例として、端末プログラム６５は、カスタム画面データが記憶されたメモリ領域の先頭アドレスを示すポインタを、情報処理端末５０にインストールされた不図示の出力プログラムに通知してもよい。そして、出力プログラムは、端末プログラム６５から通知されたポインタで示されるメモリ領域からカスタム画面データを読み出し、読み出したカスタム画面データを通信Ｉ／Ｆ５５を通じて特定装置に送信してもよい。
【００９９】
一方図示は省略するが、特定装置であるＭＦＰ１０の装置プログラム３５は、通信Ｉ／Ｆ２５を通じて情報処理端末５０からカスタム画面データを受信する。この処理は、受信処理の一例である。そして、装置プログラム３５は、受信したカスタム画面データを、標準画面データとは別にメモリ３２に記憶させる。また、装置プログラム３５は、例えば、ＭＦＰ１０の電源が投入されたことに応じて、アイコン画面をディスプレイ２３に表示させる。この処理は、第２表示処理の一例である。そして、装置プログラム３５は、アイコン画面に対するユーザ操作を、入力Ｉ／Ｆ２４を通じて受け付ける。この処理は、第２受付処理の一例である。
【０１００】
より詳細には、装置プログラム３５は、カスタム画面データがメモリ３２に記憶されているか否かを判断する。装置プログラム３５は、カスタム画面データがメモリ３２に記憶されていないと判断したことに応じて、図２に示される標準画面データをメモリ３２から読み出し、当該標準画面データに従ってアイコン画面をディスプレイ２３に表示させる。一方、装置プログラム３５は、カスタム画面データがメモリ３２に記憶されていると判断したことに応じて、カスタム画面データをメモリ３２から読み出し、当該カスタム画面データに従って図１２に示されるアイコン画面をディスプレイ２３に表示させる。
【０１０１】
図１２（Ａ）は、ページＩＤ“ページ０２”を含むページレコードに対応するページである。図１２（Ａ）に示されるページは、ページＩＤ“ページ０２”を含むアイコンレコードに対応する動作アイコン１５１、１５５、１５２と、スクロールアイコン１７３、１７４とを含む。図１２（Ｂ）は、ページＩＤ“ページ０３”を含むページレコードに対応するページである。図１２（Ｂ）に示されるページは、ページＩＤ“ページ０３”を含むアイコンレコードに対応する動作アイコン１５４、１５３と、スクロールアイコン１７３とを含む。また、アイコン画面を構成する全てのページは、設定ボタン１７５と、お知らせ表示領域１７６と、［スタート］ボタン１７７とを含む。
【０１０２】
スクロールアイコン１７３は、ディスプレイ２３に表示させるページを、現在のページから直前のページに切り替える指示に対応する。スクロールアイコン１７４は、ディスプレイ２３に表示させるページを、現在のページから直後のページに切り替える指示に対応する。設定ボタン１７５は、ＭＦＰ１０の設定を変更する指示に対応する。お知らせ表示領域１７６は、不図示のサーバ等から受信したユーザに報知すべき情報を表示させるための領域である。［スタート］ボタン１７７は、選択した動作アイコンに対応付けられた動作を、ＭＦＰ１０に実行させる指示に対応する。
【０１０３】
一例として、装置プログラム３５は、図１２（Ａ）に示されるスクロールアイコン１７４の位置をタップするユーザ操作を入力Ｉ／Ｆ５４を通じて受け付けたことに応じて、ディスプレイ２３に表示させるページを図１２（Ａ）から図１２（Ｂ）に切り替える。他の例として、装置プログラム３５は、図１２（Ｂ）に示されるスクロールアイコン１７３の位置をタップするユーザ操作を入力Ｉ／Ｆ５４を通じて受け付けたことに応じて、ディスプレイ２３に表示させるページを図１２（Ｂ）から図１２（Ａ）に切り替える。スクロールアイコン１７３、１７４のタップは、スクロール指示の一例である。ディスプレイ２３に表示させるページを図１２（Ａ）及び図１２（Ｂ）の一方から他方に切り替える処理は、切替処理の一例である。
【０１０４】
さらに他の例として、装置プログラム３５は、動作アイコン１５１の位置のタップと、［スタート］ボタン１７７の位置のタップとを入力Ｉ／Ｆ２４を通じて受け付けたことに応じて、動作アイコン１５１に対応するアイコンレコードを画面指示データから読み出す。そして、装置プログラム３５は、読み出したアイコンレコードの動作ＩＤで示される動作を、動作パラメータで示される実行条件に従って実行する。この処理は、実行処理の一例である。
【０１０５】
［本実施形態の作用効果］
上記の実施形態によれば、追加操作によって特定ページの動作アイコンの数が上限値を超えると、特定ページと特定ページの直後の次ページとのページテキストが共通か否かが判断される。そして、隣接する２つのページのページテキストが共通でない場合、特定ページの末尾の動作アイコンが特定ページの直後に新たに生成された新規ページに移動される。一方、隣接する２つのページのページテキストが共通である場合、特定ページの末尾の動作アイコンが次ページの先頭に移動される。
【０１０６】
これにより、ユーザが特定ページに纏めたいと考える複数の動作アイコン１５１〜１５５（以下、「グループアイコン」と表記する。）が、連続するページに纏めて表示される。すなわち、ＭＦＰ１０のユーザは、少ないスクロール指示によってグループアイコンにアクセス可能になる。その結果、各ページに表示可能な動作アイコンの数の上限値の範囲内において、グループアイコンがユーザの意図に合わせて各ページに適切に配置される。また、動作アイコンの数が上限値を超える度に新規ページが生成されるのを防止できる。
【０１０７】
また、上記の実施形態によれば、特定ページ及び次ページに共通のページテキストが対応付けられている場合において、削除操作によって特定ページの動作アイコンの数が上限値を下回ると、次ページの先頭の動作アイコンが特定ページの末尾に移動される。これにより、上限値を超えて次ページに移動された動作アイコンが、事後的に特定ページに纏められる。さらに、次ページから全ての動作アイコンが事後的に削除された場合に、当該ページが削除される。これにより、不必要なページを含まないシンプルなアイコン画面を実現できる。
【０１０８】
なお、上記の実施形態では、共通のページテキストが対応付けられた連続するページを、グループアイコンを表示させるページ（以下、「グループページ」と表記する。）として用いる例を説明した。そこで、端末プログラム６５は、ページ編集処理において、編集操作で示される編集内容をグループページに一括して適用する。すなわち、グループアイコンが分散配置された複数のページを、１回の編集操作で纏めて編集することができる。但し、グループページの特定方法はＳ３３、Ｓ４２、Ｓ５１に限定されず、グループページであることを示す情報がページレコードにさらに含められていてもよい。
【０１０９】
また、上記の実施形態によれば、ページタブの再クリックによって、編集操作で示される編集内容がグループページの一部に対してのみ適用される。これにより、さらに柔軟にアイコン画面をカスタマイズすることができる。そして、再クリックしたページタブに対応するページレコードに対してＳ５７、Ｓ５８が実行されることにより、当該ページをグループページから事後的に除外することができる。
【０１１０】
但し、再クリックによって抽出されるページは、前述の例に限定されない。例えば、３つのページを含むグループページのうち、ページ順序の中央のページを示すページタブが再クリックされた場合、端末プログラム６５は、当該中央のページ以降のページ（すなわち、中央のページ及び右側のページ）のみを抽出し、抽出したページに対してのみＳ４７、Ｓ５８を実行してもよい。
【０１１１】
なお、追加操作、削除操作、第１特定操作、及び第２特定操作の具体例は、前述の例に限定されない。一例として、端末プログラム６５は、予約領域或いは挿入領域に対する右クリック操作を、当該領域に動作アイコンを追加する追加操作として受け付けてもよい。そして、端末プログラム６５は、Ｓ３１において、ユーザが特定した画像データで示される動作アイコンを当該領域に追加してもよい。他の例として、端末プログラム６５は、キーボードの［ＤＥＬＥＴＥ］ボタンの押下を、特定アイコンの削除を指示する削除操作として受け付けてもよい。さらに他の例として、端末プログラム６５は、ハイライト表示されたページタブに対するダブルクリック操作を、第２特定操作として受け付けてもよい。ダブルクリック操作は、所定の時間内に左クリック操作を連続して２回行うことを指す。
【０１１２】
また、削除操作及び追加操作が一連の操作によって実現されてもよい。端末プログラム６５は、例えば、図９に示される動作アイコン１５１をページタブ１４２の位置に移動させるドラッグ操作を受け付けたことに応じて、動作アイコン１５１を削除する削除処理と、ページタブ１４２に対応するページの動作アイコンをレイアウト領域１４５に表示させる処理とを実行してもよい。また、端末プログラム６５は、ページタブ１４２の位置の動作アイコン１５１をレイアウト領域１４５に移動させるドラッグ操作を受け付けたことに応じて、ページタブ１４２に対応するページに動作アイコン１５１を追加する追加処理を実行してもよい。
【０１１３】
なお、上記の実施形態では、ＭＦＰ１０の電源が投入された際に最初に表示される所謂トップ画面をカスタマイズする例を説明したが、カスタマイズ可能な画面はトップ画面に限定されず、ＭＦＰ１０のディスプレイ２３に表示される任意の画面がカスタマイズされてもよい。なお、「最初に表示される画面」には、例えば、メーカのロゴを表示する所謂スプラッシュ画面、或いは規約への同意を求める画面等は含まれないものとする。
【０１１４】
また、上記の実施形態のＭＦＰ１０及び情報処理端末５０において、メモリ３２、６２に記憶された各種プログラムがＣＰＵ３１、６１によって実行されることによって、本発明のコントローラが実行する各処理が実現される例を説明した。しかしながら、コントローラの構成はこれに限定されず、その一部又は全部を集積回路等のハードウェアで実現してもよい。
【０１１５】
さらに、本発明は、ＭＦＰ１０及び情報処理端末５０として実現できるだけでなく、ＭＦＰ１０及び情報処理端末５０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワークを通じてＭＦＰ１０及び情報処理端末５０に接続可能なサーバに搭載された記憶部を含んでもよい。そして、サーバの記憶部に記憶されたプログラムは、当該プログラムを示す情報或いは信号として、インターネット等の通信ネットワークを通じて配信されてもよい。
【符号の説明】
【０１１６】
１０・・・ＭＦＰ
１１・・・プリンタ
２３，５３・・・ディスプレイ
２４，５４・・・入力Ｉ／Ｆ
２５，５５・・・通信Ｉ／Ｆ
３１，６１・・・ＣＰＵ
３２，６２・・・メモリ
３４，６４・・・ＯＳ
３５・・・装置プログラム
５０・・・情報処理端末
６５・・・端末プログラム
６６・・・一覧プログラム
【図１】
2018075776.tif 000003
【図２】
2018075776.tif 000004
【図３】
2018075776.tif 000005
【図４】
2018075776.tif 000006
【図５】
2018075776.tif 000007
【図６】
2018075776.tif 000008
【図７】
2018075776.tif 000009
【図８】
2018075776.tif 000010
【図９】
2018075776.tif 000011
【図１０】
2018075776.tif 000012
【図１１】
2018075776.tif 000013
【図１２】
2018075776.tif 000014